(57)【特許請求の範囲】
【請求項１】
メニューポイント（２６）を有する階層的なメニュー案内（２４）を移動無線ポータル（２２）としてコンピュータ制御式の中央ユニット（２０）において管理する、メニュー制御式の移動無線端末装置（１８ａ）を有する移動無線網（１０）の動作方法であって、
前記移動無線ポータル（２２）の各メニューポイント（２６）の選択（２３）を、メニュー制御式の前記移動無線ポータル（２２）のユーザの利用特性を検出および評価（３８）する前記中央ユニット（２０）に記録し、前記階層的なメニュー案内（２４）を検出された前記利用特性によってユーザ固有に適合させる、メニュー制御式の移動無線端末装置（１８ａ）を有する移動無線網（１０）の動作方法において、
メニューポイント（２６）の選択（２３）に時間値および／または場所座標を割り当て、階層的なメニュー案内（２４）の適合を、メニューポイント（２６）の位置を時間および／または場所に依存してメニューの階層レベル間で変更することにより行うことを特徴とする、メニュー制御式の移動無線端末装置（１８ａ）を有する移動無線網（１０）の動作方法。
【請求項２】
前記利用特性を数値的および／またはグラフィック的に評価する、請求項１記載のメニュー制御式の移動無線端末装置（１８ａ）を有する移動無線網（１０）の動作方法。
【請求項３】
前記階層的なメニュー案内（２４）の最も頻繁に利用されるメニューポイント（４０）に最初にアクセス可能である、請求項１または２記載のメニュー制御式の移動無線端末装置（１８ａ）を有する移動無線網（１０）の動作方法。
【発明の詳細な説明】
【技術分野】
【０００１】
技術分野
本発明は、メニューポイントを有するメニュー案内が移動無線ポータルとしてコンピュータ制御式の中央ユニットにおいて管理される、メニュー制御式の移動無線端末装置を有する移動無線網の動作方法に関する。
【０００２】
従来技術
殊にＧＳＭ規格またはＵＭＴＳ規格による移動無線網は十分に知られている。移動無線網の加入者ないしユーザが移動無線端末装置の操作を可能な限り簡単に行えることが望ましい。したがって移動無線端末装置はメニューを介して操作される。移動無線端末装置の機能は表示部を介して階層的なメニューとして表され、このメニューによってユーザは所望のメニューポイントを移動無線端末装置のキーを用いて探すことができる。
【０００３】
メニューをいわゆる移動無線ポータルとして規格化し、中央で管理することが公知である。移動無線ポータルとは以下では、移動無線網のプロバイダによって設定可能なメニュー案内と解される。個々のメニューポイントは移動無線端末装置の機能またはサービス、例えばホテル情報、交通情報または文化情報によって占有されている。現在の所、これらのメニューポイントの制御は適切な操作フィールドないしキーを介して行われる。通常の場合、移動無線ポータルは移動無線端末装置を使用する際に表示部に現われる。
【０００４】
移動無線ポータルは中央の制御および管理ユニットにおいて作成および管理され、また利用のために移動無線端末装置のユーザに伝送される。移動無線ポータルは移動無線プロバイダによって、この移動無線プロバイダにとっては筋が通っており、また適切であろうとされるように作成される。しかしながら、しばしば所定のメニューポイントは全く選択されないものであるか、所定の時間帯にしか選択されないものである。しかしながらこのことからプロバイダは直接的な知識は得られない。現在の所、利用特性を評価する可能性は移動無線網のプロバイダには提供されていない。このことは場合によっては、コストの掛かる統計的な移動無線端末装置ユーザの調査によってのみ確認することができる。この場合結果は時宜にかなったものではなく、また常に統計的な変動の影響を受ける。
【０００５】
発明の開示
したがって本発明の課題は、メニュー制御式の移動無線ポータルの利用特性に関して時宜にかなったものであり且つ正確なデータを評価のために得るための移動無線網についての方法を提供することである。
【０００６】
本発明によれば、この課題は、移動無線ポータルの各メニューポイントの選択が、メニュー制御式の移動無線ポータルのユーザの利用特性を検出および評価する中央ユニットに記録される、冒頭で述べたようなメニュー制御式の移動無線端末装置を有する移動無線網の動作方法でもって解決される。
【０００７】
本発明による方法は、記憶されている利用データを評価できるようにするために、ユーザの利用特性および習慣を、ユーザが移動無線端末装置を扱う際に即座に記憶することを基礎とする。利用データはもはや統計的に集計されるのではなく、利用データを即座に且つ正確に確認することができる。
【０００８】
本発明による方法の有利な実施形態においては、メニューポイントを選択する度に時間値および／または場所座標が割り当てられる。時間値は年月日でもよいが、正確な時刻ないしそれらの組み合わせからなるものでもよい。さらには、例えば移動無線ポータルのどのメニューがどの時間帯にもっとも頻繁に利用されるかを確認することができる。時間値と同様に、場所ないし場所座標も記録することができる。相応に移動無線プロバイダは反応することができる。このメニューポイントの位置を必要に応じてメニュー階層内で変更することができる。例えば昼どきにはレストランを周辺から容易に見つけ出すことができる。メニューポイントは昼どきには階層内で一番上に移動される。しかしながらこのメニューポイントが午前または午後に必要とされる確率は低い。これらの時間にはそのメニューポイントをメニューの下位の階層レベルに移すことができる。
【０００９】
本発明による方法の有利な実施形態においては、利用特性が数値的および／またはグラフィック的に評価される。この措置によって、利用特性の評価を移動無線網のプロバイダによってより容易に行うことができる。
【００１０】
本発明による方法の別の有利な実施形態においては、メニュー案内が個別的に利用特性によって適合される。これによって、移動無線ポータルを全てのユーザに対して同時に同一の形態で変更するのではなく、各ユーザ対して各ユーザ固有の移動無線ポータルを個別的にユーザ固有の利用特性に応じて提供する可能性が生じる。このために中央の制御および管理ユニットには、この過程を十分にオートメーション化する適切なアルゴリズムを設けることができる。
【００１１】
有利には、メニュー案内が階層的に設けられており、ユーザはメニュー案内の最も頻繁に使用されるメニューポイントに最初にアクセスすることができる。
【００１２】
さらなる利点は従属請求項の対象および図面から所属の説明を用いることにより明らかになる。
【００１３】
図面の簡単な説明
図１は本発明による方法の概略的な経過の原理略図を示す。
【００１４】
実施例の説明
図１には本発明による方法の概略的な経過の原理略図が示されている。参照番号１０でもって移動無線網が表されており、この移動無線網１０は無線塔１２およびセル１４によって象徴的に表されている。無線（矢印１６）を介して移動無線網１０は移動無線加入者による通信要求を伝送する。移動無線加入者は移動無線端末装置１８によって象徴的に表されている。この移動無線端末装置１８は全ての移動無線加入者の代理として表されており、またさらには拡大された投影１８ａとして図示されている。
【００１５】
移動無線網１０はコンピュータ制御式の中央ユニット２０によって管理および制御される。中央ユニット２０は殊に、通信パートナ間の通信要求の調停を担う。さらに中央ユニット２０はメニュー制御式の移動無線ポータル２２を準備し、この移動無線ポータル２２は移動無線網１０を介して移動無線端末装置１８に伝送される。矢印１９は、中央ユニット２０と移動無線端末装置１８との双方向コネクションを表している。
【００１６】
移動無線ポータル２２とは、移動無線網１０のプロバイダが設定する階層的なメニュー案内２４と解される。メニュー案内２４は本発明の実施例においては階層レベルＡ，Ｂ，Ｃを有する。個々のメニューポイント２６は移動無線端末装置の機能またはサービス、例えばホテル情報、交通情報または文化情報によって占有されている。これらのメニューポイント２６の制御は、移動無線端末装置１８ａの適切な操作フィールド２８を介して行われる。移動無線端末装置１８ａは表示部３０を有し、この表示部３０上に移動無線ポータル２２が現われる。移動無線端末装置の表示部３０の大きさは制限されているので、大抵の場合には階層的なメニュー案内２４が移動無線ポータル２２として移動無線網のプロバイダによって使用される。ここで移動無線ポータルのメニューポイント４０の選択は矢印２３によって象徴的に表されている。
【００１７】
中央ユニット２０はさらにメモリ３２を有し、このメモリ３２にはデータバンク３４が格納されている。データバンク３４はレコード３６から構成されており、各レコード３６には移動無線網１０の加入者が対応付けられる。データバンク３４の各レコード３６においては、どのメニューポイント２６がどれほどの頻度で移動無線端末装置１８ａによって選択されたか、またどの時間ないしどの場所で選択されたかが記憶される。そのようにして取得されたこれらのデータに基づき、各移動無線加入者の移動無線端末装置１８ａを用いた各移動無線加入者の利用特性を検出することができる。枠３８は評価部を表す。レコード３６を形成するための評価部３８への経路は矢印３７によって示唆されている。評価部３８は個別的なユーザプロフィールを作成するために使用され、その結果各移動無線加入者は可能な限り個別的な移動無線ポータル２２を得る。個別的な移動無線ポータルとしての評価部３８の結果は、再び中央ユニット２０から移動無線網１０を介してそれぞれの移動無線端末装置１８に転送される。この過程は矢印３９，１９によって表されている。
【００１８】
本発明の実施例においてはＡが一番上の階層レベルであり、Ｂが真ん中の階層レベルであり、Ｃが一番下の階層レベルである。メニュー案内２４の下位の階層レベルＢ，Ｃのメニューポイント４０ないし４１には、移動無線加入者がそれぞれ上位の階層レベルＡないしＡおよびＢを通過して移動した場合にのみアクセスすることができる。したがって通常の場合、所望のメニューポイント４０，４１へのアクセスは非常に面倒で時間が掛かり、またユーザフレンドリーでない。したがってメニューポイント４０，４１の位置は、事前に選択頻度が確認されている場合には一番上の階層レベルＡに変更される。このことは矢印４３，４５によって表されている。したがってメニューポイント４０により迅速にアクセスすることができ、また移動無線ポータル２２はこれによってよりユーザフレンドリーになる。これに対して、加入者が関心を示さず、したがって殆ど使用されることのないメニューポイント４２，４４の位置はよりメニュー案内２４のより深い階層レベルＢないしＣに変更される。このことは矢印４６，４８でもって表されている。
【００１９】
殊に本発明による方法では、メニューポイント４０ないし４１，４２，４４が限られた時間にのみ階層レベルＡ，Ｂ，Ｃを変える。どの時刻に所定のメニューポイント２６，例えばメニューポイント４１が特に頻繁に使用されたかに応じて、限定的な時間にわたってのみ、そのメニューポイントの位置がより高い階層レベルＡに変更される。基本的に、データバンク３４の各レコード３６には場所も記憶することができる。したがって、メニューポイント２６の位置の変更は場所に依存して行うこともできる。例えば移動無線加入者が所定の場所においてのみ所定のメニューポイント４０を選択する場合には、このメニューポイント４０はその場所においてのみ、また場合によっては所定の時間にのみ上位の階層レベルＡに表される。
【図面の簡単な説明】
【００２０】
【図１】本発明による方法の概略的な経過の原理略図。
【図１】
0004499713.tif 000002